(57)【特許請求の範囲】
【請求項１】
板状体の先端部に、二個の貫通孔（３１ａ，３１ｂ）を上下方向に設けると共に、該貫通孔（３１ａ，３１ｂ）の内の一方の貫通孔（３１ａ）の直径を、背面側から正面側に向けてテーパー状に先細りに形成し、他方の貫通孔（３１ｂ）の直径を、正面側から背面側に向けてテーパー状に先細りに形成することで、正面側と背面側に現れる貫通孔（３１ａ，３１ｂ）の直径の大小が上下で逆になるようにした、おりもの除去器（３０）。  
【発明の詳細な説明】
【技術分野】
【０００１】
本発明は腟内の分泌物で形成されるおりものを、膣内に存する時期において除去する、おりもの除去器に関する。
【背景技術】
【０００２】
おりものとは、子宮頚部や子宮内膜、膣から出る酸性の分泌物である。このおりものは膣内部のうるおいを保って粘膜を守ったり、汚れを排出したり、細菌などが子宮内に侵入するのを防ぐ役割がある。
【０００３】
かかる機能を有するおりものは、女性ホルモンと密接な関係があり、生理周期に合わせて色や粘度が変わることが知られている。
【０００４】
かかる特徴を備えたおりものは、その量が多いと下着を汚すことがある。また、その臭いを気にする女性も多い。
【０００５】
そこで、下着にパンティライナーを装着し、汚れれば取り換えるといった手段を講じる女性も多い。他方で下着の股部の素材や編み生地を工夫することで、汚れによる不快感の低減を図る下着が特許文献１において開示されている。
【先行技術文献】
【特許文献】
【０００６】
【特許文献１】特開２０１７−２０１６０号公報
【発明の開示】
【発明が解決しようとする課題】
【０００７】
上述のおりものに対する対処法は、いずれも膣外に排出された後に行われるものである。ところがこれでは臭いを防ぐことが難しいという難点がある。そこで本発明は、おりものが膣内に存するうちに効率的、かつ、取り過ぎずに除去でき、よって下着汚れも未然に防ぐことが可能なおりもの除去器を提供することを目的とする。
【課題を解決するための手段】
【０００８】
上記課題を解決する本発明の構成は、以下の通りである。
【０００９】
（１）  請求項１に記載のおりもの除去器は、板状体の先端部に貫通孔を一個設けて構成した。
【００１０】
（２）  請求項２に記載のおりもの除去器は、請求項１記載の発明において、貫通孔を複数設けて構成した。
【００１１】
（３）  請求項３に記載のおりもの除去器は、請求項２に記載の発明において、直径が異なる貫通孔を複数設けて構成した。
【００１２】
（４）  請求項４に記載のおりもの除去器は、請求項１乃至請求項３いずれかに記載の発明において、貫通孔を設けた側と反対側の端部に窪みより成る持ち手部を設けて構成した。
【発明の効果】
【００１３】
上記のように構成される本発明が、如何に作用して課題を解決するかを図面を参照しながら概説する。
【００１４】
図１に示すように、請求項１記載にかかるおりもの除去器１０は、細長板状体の先端部に貫通孔１１を一個設けて構成してある。かように構成されたおりもの除去器１０の先端側を、膣内に挿入し、出し入れすることで、貫通孔１１によりおりものを簡単に、かつ、取り過ぎずに除去することが可能となるのである。なお、おりものを取り過ぎると膣内に炎症等を引き起こす等の弊害を引き起こすものである。
【００１５】
おりものを除去するという目的であれば、例えば耳かきのように先端を屈曲したへら状にすればより効率的である。しかし当該耳かきのような形状では膣壁等を傷つける恐れがあることから、本発明のように貫通孔１１で除去する方法を採用し、膣内に負担をかけずに出し入れすることでおりものを取り除く方法を採用するものである。
【００１６】
図２に示すように、請求項２に記載のおりもの除去器２０は、貫通孔２０・・を複数設けて構成してある。貫通孔２の個数を増やすことでより多量のおりものを取り除くことが可能となるものである。
【００１７】
図３に示すように、請求項３に記載のおりもの除去装置３０は、直径が異なる貫通孔を複数設けて構成してある。図中貫通孔３１ａは貫通孔３１ｂに比べて直径が小さいものである。かように直径が異なる貫通孔を複数設けてあることから、様々な膣壁や陰部の形状に対応して効率的、且つ、取り過ぎずにおりものを除去することが可能となるのである。
【００１８】
図４に示すように、請求項４に記載のおりもの除去装置４０は、貫通孔４０を設けた側と反対側の端部に、窪みより成る持ち手部４２を形成してある。これにより使用者がおりもの除去装置４０を掴みやすくなり、おりものを除去する作業がよりはかどるものである。
【図面の簡単な説明】
【００１９】
【図１】Ａ  請求項１記載の発明の正面図            Ｂ  同、平面図            Ｃ  同、右側面図
【図２】請求項２記載の発明の正面図
【図３】Ａ  請求項３記載の発明の正面図            Ｂ  Ｃ−Ｃ線断面図
【図４】Ａ  請求項４記載の発明の正面図            Ｂ  同、平面図            Ｃ  同、底面図            Ｄ  同、右側面図
【図５】請求項４記載の発明の斜視図
【図６】Ａ  請求項３記載の発明の正面図            Ｂ  Ｄ−Ｄ線断面図            Ｃ  請求項３記載の発明の背面図
【発明を実施するための形態】
【００２０】
以下、好ましい本発明の構成要素の実施形態につき、図面を参照しながら概説する。なお、本発明構成要素の実施形態は、下記の実施形態に何ら限定されることはなく、本発明の技術的範囲に属する限り、種々の形態を採りうる。
【００２１】
本発明にかかるおりもの除去装置はスティック状の細長い板状体であり、長手方向長さはおおむね１５０ｍｍ程度、短手方向はおおむね１０ｍｍ程度、厚みは９ｍｍ程度である。素材としては、樹脂や金属を利用可能である。
【００２２】
図１は請求項１に記載のおりもの除去装置１０を示すものであり、図示されない左側面図は右側面図と同一に表れ、同じく図示されない底面図は平面図と同一に表れる。おりもの除去装置１０の先端部には貫通孔１１が形成されている。貫通孔１１の直径はおおむね３〜１０ｍｍ程度である。
【００２３】
図２は請求項２に記載のおりもの除去装置２０を示すものであり、その先端部には貫通孔２１が複数設けられている。図中貫通孔の数は２個であるが、むろんかかる限定を受けるものではなく、３個以上でも構わない。
【００２４】
図３は請求項３に記載のおりもの除去装置３０を示すものであり、その先端部には直径が異なる貫通孔３１ａ，３１ｂが設けてある。貫通孔３１ａ，３１ｂの直径はそれぞれ概ね４ｍｍ、６ｍｍ程度であるが、むろんかかる限定を受けるものではない。
【００２５】
なお、貫通孔３１ａ及び貫通孔３１ｂは図３Ｂに示すようにそれぞれの直径を均一に設けてもよいし、図６Ｂに示すように、貫通孔３１ａの直径を背面側から正面側に向けてテーパー状に先細りに形成し、貫通孔３１ｂの直径を正面側から背面側に向けてテーパー状に先細りに形成しても構わない。かように形成すれば図６Ａ、図６Ｃに示されるように、正面側と背面側に現れる貫通孔３１ａ，３１ｂの直径の大小が上下で逆となる。かかる構成ゆえに、正面側でおりもの取り除き作業を行う場合と、背面側で取り除き作業を行う場合の作用が異なり、デリケート部位である膣壁に対する細やかなケアが可能となる。尚、図６におけるＵは上方向をＳは下方向を意味するものである
【００２６】
図４は請求項４に記載のおりもの除去装置４０を示すものであり、図示されない左側面図は右側面図と同一に表れるものである。貫通孔４０を設けた側と反対側の端部に、窪みより成る持ち手部４２を形成してある。図５に示されるおりもの除去装置４０では、直径の異なる貫通孔４１ａ、４１ｂが形成してある。
【符号の説明】
【００２７】
１０・・おりもの除去装置
１１・・貫通孔
２０・・おりもの除去装置
２１・・貫通孔
３０・・おりもの除去装置
３１ａ・・貫通孔
３１ｂ・・貫通孔
４０・・おりもの除去装置
４１・・貫通孔
４２・・持ち手部
【要約】
【課題】おりものが膣内に存するうちに効率的に取り除くことができる、おりもの除去器を提供すること。
【解決手段】請求項１に記載のおりもの除去器は、細長板状体の先端部に貫通孔を一個設けて構成した。請求項２に記載のおりもの除去器は、請求項１記載の考案において、貫通孔を複数設けて構成した。請求項３に記載のおりもの除去器は、請求項２に記載の考案において、直径が異なる貫通孔を複数設けて構成した。請求項４に記載のおりもの除去器は、請求項１乃至請求項３いずれかに記載の考案において、貫通孔を設けた側と反対側の端部に窪みより成る持ち手部を設けて構成した。
【選択図】        図５【図１】
0006829520.tif 000002
【図２】
0006829520.tif 000003
【図３】
0006829520.tif 000004
【図４】
0006829520.tif 000005
【図５】
0006829520.tif 000006
【図６】
0006829520.tif 000007